(57)【要約】      （修正有）【課題】  位置情報取得機能を有する携帯通信機を利用して、管理サーバへの設置機器の設置場所の登録作業にかかる負担を軽減し、しかも、機器の設置場所が正しく登録されるようにする。【解決手段】  作業者Ｍが所有する携帯通信機１と設置する機器２とをケーブル４を介して接続し、携帯通信機１で取得した位置情報に係る情報と当該設置機器２に設定された機器ＩＤとを管理サーバ３へ送信し、管理サーバ３が、位置情報に係る情報と設置機器ＩＤを受信して、当該機器２とその設置場所に係る情報をネットワーク上に公開するために登録する。【選択図】  図１
2007310723.tif 000002
【特許請求の範囲】
【請求項１】
公共の利用に供する機器の設置場所を公開するために、携帯通信機に備えられた位置情報取得機能を利用して当該機器の設置場所を管理サーバに登録する設置位置登録方法であって、
作業者が所有する携帯通信機と設置する機器とを通信手段を介して接続し、当該携帯通信機で取得した位置情報に係る情報と当該設置機器に設定された識別情報とを管理サーバへ送信し、
管理サーバが、前記位置情報に係る情報と設置機器の識別情報とを受信して、当該機器とその設置場所に係る情報をネットワーク上に公開することを特徴とする設置位置登録方法。
【請求項２】
請求項１に記載の設置位置登録方法において、
前記携帯通信機が取得した位置情報を前記通信手段を介して前記機器に送信し、当該機器が受信した位置情報と自己に設定された識別情報とを管理サーバへ送信することを特徴とする設置位置登録方法。
【請求項３】
請求項１に記載の設置位置登録方法において、
前記携帯通信機が取得した位置情報を前記管理サーバに送信し、当該管理サーバが受信した位置情報に対応するＵＲＬを携帯通信機に送信し、
当該携帯通信機が受信したＵＲＬを通信手段を介して前記機器に送信し、当該機器が受信したＵＲＬに基づいて自己に設定された識別情報を管理サーバへ送信し、
当該管理サーバが前記ＵＲＬと設置機器の識別情報とを受信して、当該機器とその設置場所に係る情報をネットワーク上に公開することを特徴とする設置位置登録方法。
【請求項４】
請求項１に記載の設置位置登録方法において、
前記携帯通信機が前記通信手段を介して前記機器から当該機器に設定された識別情報を受信し、自己が取得した位置情報と受信した当該設置機器の識別情報とを管理サーバに送信することを特徴とする設置位置登録方法。
【請求項５】
公共の利用に供する機器の設置場所を公開するために、携帯通信機に備えられた位置情報取得機能を利用して当該機器の設置場所を管理サーバに登録する設置位置登録システムであって、
携帯通信機は、位置情報を取得する位置情報取得手段と、通信手段を接続するための接続手段と、取得した位置情報を通信手段を介して送信する情報提供手段とを有し、
設置機器は、通信手段を接続するための接続手段と、通信手段を介して位置情報を受信する情報取得手段と、受信した位置情報と自己に設定された識別情報とをネットワークを介して送信する通知手段とを有し、
管理サーバは、ネットワークを介して位置情報と設置機器に設定された識別情報とを受信する受信手段と、受信した位置情報と設置機器の識別情報とに基づいて当該機器とその設置場所に係る情報をネットワーク上に公開するために登録保持する登録手段とを有することを特徴とする設置位置登録システム。
【請求項６】
公共の利用に供する機器の設置場所を公開するために、携帯通信機に備えられた位置情報取得機能を利用して当該機器の設置場所を管理サーバに登録する設置位置登録システムであって、
携帯通信機は、位置情報を取得する位置情報取得手段と、取得した位置情報を管理サーバに送信して当該管理サーバから当該位置情報に対応するＵＲＬを取得するＵＲＬ取得手段と、通信手段を接続するための接続手段と、取得したＵＲＬを通信手段を介して送信する情報提供手段とを有し、
設置機器は、通信手段を接続するための接続手段と、通信手段を介してＵＲＬを受信する情報取得手段と、受信したＵＲＬと自己に設定された識別情報とをネットワークを介して送信する通知手段とを有し、
管理サーバは、携帯通信機から受信した位置情報に対応するＵＲＬを当該携帯通信機に送信するＵＲＬ提供手段と、ネットワークを介してＵＲＬと設置機器に設定された識別情報とを受信する受信手段と、受信したＵＲＬと設置機器の識別情報とに基づいて当該機器とその設置場所に係る情報をネットワーク上に公開するために登録保持する登録手段とを有することを特徴とする設置位置登録システム。
【請求項７】
公共の利用に供する機器の設置場所を公開するために、携帯通信機に備えられた位置情報取得機能を利用して当該機器の設置場所を管理サーバに登録する設置位置登録システムであって、
携帯通信機は、位置情報を取得する位置情報取得手段と、通信手段を接続するための接続手段と、通信手段を介して設置機器から当該設置機器に設定された識別情報を受信する情報取得手段と、取得した位置情報と受信した設置機器の識別情報とを管理サーバに送信する通知手段とを有し、
設置機器は、通信手段を接続するための接続手段と、自己に設定された識別情報を通信手段を介して携帯通信機に送信する情報提供手段とを有し、
管理サーバは、携帯通信機から位置情報と設置機器に設定された識別情報とを受信する受信手段と、受信した位置情報と設置機器の識別情報とに基づいて当該機器とその設置場所に係る情報をネットワーク上に公開するために登録保持する登録手段とを有することを特徴とする設置位置登録システム。
【請求項８】
請求項５乃至７のいずれか１項に記載の設置位置登録システムにおいて、
携帯通信機は作業者が所有する携帯電話機であることを特徴とする設置位置登録システム。
【発明の詳細な説明】
【技術分野】
【０００１】
本発明は、コピー装置やファクシミリ装置等といった機器を公共の利用に供するためにコンビニエンスストア等に設置する際の方法及びシステムに関し、特に、作業者が所有する携帯通信機に備えられた位置取得機能を利用して、当該機器の設置場所をサーバに登録する技術に関する。
【背景技術】
【０００２】
コピー装置、ファクシミリ装置、プリンタ装置、或いは、これら装置の機能を複合的に有した複合機（マルチファンクションデバイス（ＭＦＤ）や、マルチファンクションプリンタ（ＭＦＰ）とも称せられる）が街中のコンビニエンスストア等に設置されており、多くの人がこれら機器を用いたプリントサービス等を利用することができるようになっている。
【０００３】
上記の機器は多くの場所に設置されるが、利用者に対しては、どこに行けば機器を利用することができるかの情報を広く提供する必要がある。
従来では、機器が設置された店舗等の位置情報を作業者が手動で管理サーバに登録し、管理サーバが地図情報と連携させながら設置場所の情報を利用者にＷｅｂページ等で提供して案内することが行われている。
【０００４】
無線通信を利用して利用者の商品購入を支援する発明として、購入したい商品の近くでカートから無線通信により、近傍のアクセスポイントからサーバに接続して、その商品の情報を利用者が入手できるというシステムが提案されている（特許文献１参照。）。
携帯電話機を利用して利用者に情報を提供する発明として、各店舗等に設けた情報発信装置から一方的に発信された情報を携帯電話機の利用者の希望に応じて選択的に提供するシステムが提案されている（特許文献２参照。）。
【特許文献１】特開２００２―５６２７８号公報
【特許文献２】特開２００２―２４７０４５号公報
【発明の開示】
【発明が解決しようとする課題】
【０００５】
上記のようにＭＦＰ等の機器を多くの場所に設置して公共の利用に供するサービス事業を行う場合、従来では、設置を行う作業者が設置場所の位置情報をその都度調べ、管理サーバに登録しなければならなかった。このような機器設置の際の登録作業は、設置台数が増えるとその手間も膨大なものとなり、作業者の負担を軽減するための何らかの方策が要望されている。
【０００６】
本発明は、上記従来の事情に鑑みなされたものであり、広く普及している位置情報取得機能を有する携帯通信機を利用して、位置情報取得から登録にかける作業を極力自動化することにより、管理サーバへの設置機器の登録作業にかかる負担を軽減し、しかも、機器の設置場所が正しく登録されるようにすることを目的としている。
【課題を解決するための手段】
【０００７】
本発明では、携帯通信機に備えられた位置情報取得機能を利用して、作業者が所有する携帯通信機と設置する機器とを通信手段を介して接続し、携帯通信機で取得した位置情報に係る情報と当該設置機器に設定された識別情報とを管理サーバへ送信し、管理サーバが、前記位置情報に係る情報と設置機器の識別情報とを受信して、当該機器とその設置場所に係る情報をネットワーク上に公開する。
したがって、作業者の設置位置情報を調べる手間が軽減され、しかも、携帯通信機と設置機器とを通信手段で接続することにより、機器の設置場所と実質的に同じ位置で取得される位置情報を管理サーバに登録することができる。
【０００８】
ここで、携帯通信機としては、携帯電話機、モバイルＰＣ、専用機等といった種々な無線通信機能を有する装置を用いることができ、いずれの装置においても衛星測位を利用するＧＰＳ機能、セルラー通信方式を利用するセル位置情報取得機能等といった位置情報取得機能を有していればよい。
携帯通信機で取得した位置情報に係る情報は、後述するように本発明の実施の態様に応じた情報であり、後述するように、位置を示す座標情報或いは地名番地情報、通信セルを示すセルＩＤ或いは地名番地情報、管理サーバに登録した座標情報或いは地名番地情報に対応するＵＲＬ等といったように種々な態様が採用される。
【０００９】
本発明に係る一実施態様では、携帯通信機が、位置情報を取得する位置情報取得手段と、通信手段を接続するための接続手段と、取得した位置情報を通信手段を介して送信する情報提供手段とを有し、設置機器が、通信手段を接続するための接続手段と、通信手段を介して位置情報を受信する情報取得手段と、受信した位置情報と自己に設定された識別情報とをネットワークを介して送信する通知手段とを有し、管理サーバが、ネットワークを介して位置情報と設置機器に設定された識別情報とを受信する受信手段と、受信した位置情報と設置機器の識別情報とに基づいて当該機器とその設置場所に係る情報をネットワーク上に公開するために登録保持する登録手段とを有する。
そして、携帯通信機が取得した位置情報を通信手段を介して機器に送信し、当該機器が受信した位置情報と自己に設定された識別情報とを管理サーバに送信して、管理サーバが当該機器とその設置場所に係る情報をネットワーク上に公開するために登録する。
【００１０】
また、本発明に係る他の一実施態様では、携帯通信機が、位置情報を取得する位置情報取得手段と、取得した位置情報を管理サーバに送信して当該管理サーバから当該位置情報に対応するＵＲＬを取得するＵＲＬ取得手段と、通信手段を接続するための接続手段と、取得したＵＲＬを通信手段を介して送信する情報提供手段とを有し、設置機器が、通信手段を接続するための接続手段と、通信手段を介してＵＲＬを受信する情報取得手段と、受信したＵＲＬと自己に設定された識別情報とをネットワークを介して送信する通知手段とを有し、管理サーバが、携帯通信機から受信した位置情報に対応するＵＲＬを当該携帯通信機に送信するＵＲＬ提供手段と、ネットワークを介してＵＲＬと設置機器に設定された識別情報とを受信する受信手段と、受信したＵＲＬと設置機器の識別情報とに基づいて当該機器とその設置場所に係る情報をネットワーク上に公開するために登録保持する登録手段とを有する。
そして、携帯通信機が取得した位置情報を管理サーバに送信し、当該管理サーバが受信した位置情報に対応するＵＲＬを携帯通信機に送信し、携帯通信機が受信したＵＲＬを通信手段を介して機器に送信し、当該機器が受信したＵＲＬに基づいて自己に設定された識別情報を管理サーバへ送信して、管理サーバがＵＲＬと設置機器の識別情報とを受信して、当該機器とその設置場所に係る情報をネットワーク上に公開するために登録する。
【００１１】
また、本発明に係る更に他の一実施態様では、携帯通信機が、位置情報を取得する位置情報取得手段と、通信手段を接続するための接続手段と、通信手段を介して設置機器から当該設置機器に設定された識別情報を受信する情報取得手段と、取得した位置情報と受信した設置機器の識別情報とを管理サーバに送信する通知手段とを有し、設置機器が、通信手段を接続するための接続手段と、自己に設定された識別情報を通信手段を介して携帯通信機に送信する情報提供手段とを有し、管理サーバが、携帯通信機から位置情報と設置機器に設定された識別情報とを受信する受信手段と、受信した位置情報と設置機器の識別情報とに基づいて当該機器とその設置場所に係る情報をネットワーク上に公開するために登録保持する登録手段とを有する。
そして、携帯通信機が通信手段を介して機器から当該機器に設定された識別情報を受信し、自己が取得した位置情報と受信した設置機器の識別情報とを管理サーバに送信して、管理サーバが当該機器とその設置場所に係る情報をネットワーク上に公開するために登録する。
【発明の効果】
【００１２】
本発明によると、ＭＦＰ等の機器を設置する際に、機器の正しい設置場所を担保しつつ、機器の設置場所登録を容易にすることができる。
【発明を実施するための最良の形態】
【００１３】
本発明を実施例に基づいて具体的に説明する。
図１には本発明の一例に係るシステムの基本構成を示してある。図示の設置位置登録システムは、携帯通信機としての携帯電話機１、設置機器としてのＭＦＰ２、管理サーバ３を備えており、携帯電話機１とＭＦＰ２はＵＳＢ等のケーブル４を介して通信可能であり、ＭＦＰ２と管理サーバ３はインターネット等のネットワーク網５を介して通信可能であり、携帯電話機１と管理サーバ３は携帯通信網６及びこれに接続されるネットワーク網５を介して通信可能である。
なお、携帯電話機１はＭＦＰ２を店舗に設置する作業者Ｍに所持され、また、ネットワーク網５には管理サーバ３から提供されるＭＦＰ２とその設置場所に係る情報を閲覧することができるＰＣ７が接続される。また、携帯電話機１とＭＦＰ２との間の通信手段としては、上記したようなＵＳＢ等の物理的なケーブルだけでなく、赤外線通信やＢｌｕｅｔｏｏｔｈ（商標）等の無線通信で通信できるように構成してもよい。通信手段としては、携帯電話機１とＭＦＰ２との間のを物理的に接続する手段、または、携帯電話機１とＭＦＰ２との間のを比較的近距離で無線接続する手段であるのが好ましい。
【００１４】
図２には、本発明の第１実施例に係る設置位置登録システムの機能構成を示してある。
なお、第１実施例は図１に示したシステム構成において実現されており、後述する他の実施例も同様である。
【００１５】
携帯電話機１は、ユーザからの操作を受け付ける操作部１０、無線通信を行う無線部１１、制御処理を行う制御部１２、ケーブル４を接続するためのコネクタ１３を有しており、制御部１２は、位置情報を無線部１１を介して取得する位置情報取得部１４、取得した位置情報をケーブル４を介してＭＦＰ２へ送信する情報提供部１５を有している。
なお、携帯電話機１は公知のように携帯電話機として必要な他の機能も有している。また、本例では、位置情報取得部１４は測位座標値を衛星から受信するＧＰＳ機能部としているが、携帯電話網６からセルラ位置情報を取得する機能部として構成することもできる。
【００１６】
ＭＦＰ２は、ケーブル４を接続するためのコネクタ２０、制御処理を行う制御部２１、自己に設定された識別情報（ＩＤ）を記憶保持するＩＤメモリ２２、ネットワーク５を介した通信を行う通信部２３を有しており、制御部２１は、ケーブル４を介して携帯電話機１から位置情報を受信する情報取得部２４、受信した位置情報とメモリ２２から読み出した機器ＩＤとを通信部２３及びネットワーク５を介して管理サーバ３へ送信する通知部２５を有している。
なお、ＭＦＰ２は、公知のようにコピー機能、プリンタ機能、ファクシミリ機能等といった複合機として必要な他の機能も有している。
【００１７】
管理サーバ３は、ネットワーク５を介した通信を行う通信部３０、制御処理を行う制御部３１、位置情報を地名番地に変換するための位置テーブル３２、機器ＩＤを機種名や機能等の情報に変換するための機器テーブル３３、設置された機器（ＭＦＰ）とのそ設置場所に係る情報を記憶保持する登録データメモリ３４を有しており、制御部３１は、ネットワーク５を介して受信した位置情報と設置ＩＤに基づいて当該ＭＦＰ２とその設置場所に係る情報を登録メモリ３４に登録する登録部３５、登録メモリ３４に登録されたＭＦＰ２とその設置場所に係る情報をＰＣ７により閲覧できるようにネットワーク５上に公開する提供部３６を有している。
【００１８】
本例の位置テーブル３２は、図３に示すように、位置情報（座標値）とその地名番地とを対応付けたテーブルである。
また、本例の機器テーブル３３は、図４に示すように、機器ＩＤ、機種名、備えられた機能を対応付けたテーブルである。
また、本例の登録データは、図５に示すように、所在地（地名番地）、機種名、機能等を対応付けたデータであり、多数の機器を一覧形式で含むデータが提供部３６によりネットワーク上に公開される。
【００１９】
第１実施例のシステムでは、次のようにして、設置されたＭＦＰ２の位置情報が管理サーバ３に登録される。
作業者Ｍが、所持する携帯電話機１と設置したＭＦＰ２とをケーブル４で接続し、操作部１０を操作して位置情報取得部１４により現在位置の位置情報を取得する。すなわち、ケーブル４で接続されることで、実質的にＭＦＰ２の設置場所の位置情報を取得する。
以下に説明する例では、上記のように位置情報を取得する操作入力がなされて位置情報が取得されると、携帯電話機１、ＭＦＰ２、管理サーバ３による処理は自動的に実行されるが、本発明では、これら処理について、作業者の指示入力がなされることを条件に実行するようにしてもよい。
【００２０】
携帯電話機１では、位置情報を取得すると情報提供部１５がケーブル４を介して当該位置情報をＭＦＰ２に送信し、ＭＦＰ２では、位置情報を情報取得部２４で受信すると、通知部２５がＩＤメモリ２２から機器ＩＤを読み出して当該位置情報とともにネットワーク５を介して管理サーバ３へ送信する。
管理サーバ３では、位置情報及び機器ＩＤを通信部３０で受信すると、登録部３５が、位置テーブル３２及び機器テーブル３３を参照して当該ＭＦＰ２及びその設置場所を含む登録データを生成してメモリ３４に登録する。なお、メモリ３４に記憶保持される登録データは上記のように登録処理がなされることにより更新され、最新の登録データが提供部３６によりネットワーク５に公開される。
【００２１】
図６には、本発明の第２実施例に係る設置位置登録システムの機能構成を示してある。
本例は、携帯電話機１で取得した位置情報を管理サーバ３に一時保持し、当該保持した位置情報に対応するＵＲＬをＭＦＰ２が自己の機器ＩＤとともに管理サーバ３へ送信して登録処理を行うシステムであり、当該処理を行うために必要な機能が設けられている。
なお、第１実施例と同様な機能部分には同一符号を付して重複する説明は割愛する。
【００２２】
携帯電話機１は、特に、取得した位置情報を管理サーバ３に送信して対応するＵＲＬを管理サーバ３から受信するＵＲＬ取得部１６を有している。
管理サーバ３は、携帯電話機１から受信した位置情報を一時的に保持する一時保持メモリ３７、受信した位置情報に対応してアクセスするためのＵＲＬを送信元の携帯電話機に送信するＵＲＬ提供部３８を有している。
【００２３】
第２実施例のシステムでは、次のようにして、設置されたＭＦＰ２の位置情報が管理サーバ３に登録される。
作業者Ｍが、所持する携帯電話機１と設置したＭＦＰ２とをケーブル４で接続し、操作部１０を操作して位置情報取得部１４により現在位置の位置情報を取得する。
携帯電話機１では、位置情報を取得すると、ＵＲＬ取得部１６が位置情報を無線部１１により携帯電話網６及びネットワーク６を介して管理サーバ３に送信し、管理サーバ３では、通信部３０により位置情報を受信すると、当該位置情報を一時メモリ３７に保持するとともにＵＲＬ提供部３８が通信部３０によりネットワーク５及び携帯電話網６を介して対応するＵＲＬを送信元の携帯電話機１へ送信する。
【００２４】
携帯電話機１では、ＵＲＬ取得部１６でＵＲＬを取得すると、情報提供部１５がケーブル４を介して当該ＵＲＬをＭＦＰ２に送信し、ＭＦＰ２では、ＵＲＬを情報取得部２４で受信すると、通知部２５がＩＤメモリ２２から機器ＩＤを読み出して当該ＵＲＬでネットワーク５を介して管理サーバ３にアクセスする。
管理サーバ３では、ＵＲＬに基づくアクセスがなされると通信部３０でアクセス元のＭＦＰ２から機器ＩＤを受信し、登録部３５が、当該ＵＲＬに対応する位置情報を一時メモリ３７から読み出し、機器ＩＤと位置情報について位置テーブル３２及び機器テーブル３３を参照して当該ＭＦＰ２及びその設置場所を含む登録データを生成してメモリ３４に登録する。
【００２５】
図７には、本発明の第３実施例に係る設置位置登録システムの機能構成を示してある。
本例は、携帯電話機１が取得した位置情報を機器ＩＤとともに管理サーバ３に送信して登録処理を行うシステムであり、当該処理を行うために必要な機能が設けられている。
なお、第１実施例と同様な機能部分には同一符号を付して重複する説明は割愛する。
【００２６】
携帯電話機１は、特に、ケーブル４を介してＭＦＰ２から機器ＩＤを受信する情報取得部１７、位置取得部１４で取得した位置情報とＭＦＰ２から受信した機器ＩＤとを携帯電話網６及びネットワーク５を介して管理サーバ３へ送信する通知部１８を有している。
ＭＦＰ２は、特に、携帯電話機１からの要求に応じてＩＤメモリ２２に記憶保持されている機器ＩＤをケーブル４を介して携帯電話機１へ送信する情報提供部２６を有している。
【００２７】
第３実施例のシステムでは、次のようにして、設置されたＭＦＰ２の位置情報が管理サーバ３に登録される。
作業者Ｍが、所持する携帯電話機１と設置したＭＦＰ２とをケーブル４で接続し、操作部１０を操作して位置情報取得部１４により現在位置の位置情報を取得する。
携帯電話機１では、位置情報を取得すると、情報取得部１７が、ケーブル４を介してＭＦＰ２へ機器ＩＤを要求し、ＭＦＰ２の情報提供部２６から機器ＩＤを受信する。
【００２８】
そして、携帯電話機１では、通知手段１８が位置情報と機器ＩＤを無線部１１により携帯電話網６及びネットワーク６を介して管理サーバ３に送信し、管理サーバ３では、通信部３０により位置情報と機器ＩＤを受信すると、登録部３５が、位置テーブル３２及び機器テーブル３３を参照して当該ＭＦＰ２及びその設置場所を含む登録データを生成してメモリ３４に登録する。
特に、第３実施例は、ＭＦＰ２が管理サーバ３と通信を行う必要がないので、ネットワーク通信機能を有しない機器（例えば、単純なコピー装置）を設置する場合に好適である。
【００２９】
なお、携帯電話機等の携帯通信機に備えられた位置情報取得機能を利用して、ＭＦＰ等の機器の設置場所を登録するという観点から、次のようなシステム構成及び方法として実施することも可能である。
店舗等に設置したＭＦＰ２の直ぐ傍で、携帯電話機１で位置情報を取得し、当該位置情報を携帯電話機１を使って管理サーバ３に送信する。管理サーバ３は携帯電話機１から受け取った位置情報を一時的に保管し、その位置情報を一意に示す数字などのコードを携帯電話機１に返送する。作業者Ｍがテンキーなどで取得したコードをＭＦＰ２に入力する、或いは、携帯電話機１からケーブル４でコードをＭＦＰ２に送信し、ＭＦＰ２と管理サーバ３とをネットワーク接続して、ＭＦＰ２から管理サーバ３へコードとともにＭＦＰの識別情報（シリアル番号や機種名糖等）を送り、管理サーバ３で、ＭＦＰ２の情報とコードに該当する位置情報を関連付けて登録する。
【００３０】
また、管理サーバ３に送る設置機器２の識別情報の範囲或いはパターンを管理サーバ３に事前に登録しておき、管理サーバ３が送ってきた識別情報がそれと合致する場合のみ、設置機器とその設置場所に係る情報を関連付けて登録することで、登録すべき設置機器を限定するようにしてもよい。
【図面の簡単な説明】
【００３１】
【図１】本発明の一例に係る設置位置登録システムの基本構成を示す図である。
【図２】本発明の第１実施例に係る設置位置登録システムの機能構成を示す図である。
【図３】本発明の実施例に係る位置テーブルを説明する図である。
【図４】本発明の実施例に係る機種テーブルを説明する図である。
【図５】本発明の実施例に係る登録データを説明する図である。
【図６】本発明の第２実施例に係る設置位置登録システムの機能構成を示す図である。
【図７】本発明の第３実施例に係る設置位置登録システムの機能構成を示す図である。
【符号の説明】
【００３２】
１：携帯電話機、  ２：ＭＦＰ（設置機器）、
３：管理サーバ、  ４：ケーブル、
５：ネットワーク、  ６：携帯電話網、
１３：コネクタ、  １４：位置取得部、
１５：情報提供部、  １６：ＵＲＬ取得部、
１７：情報取得部、  １８：通知部、
２０：コネクタ、  ２２：ＩＤメモリ、
２４：情報取得部、  ２５：通知部、
２６：情報提供部、  ３２：位置テーブル、
３３：機種テーブル、  ３４：登録データ、
３５：登録部、  ３６：提供部、
３７：一時保持部、  ３８：ＵＲＬ提供部、
【図１】
2007310723.tif 000003
【図２】
2007310723.tif 000004
【図３】
2007310723.tif 000005
【図４】
2007310723.tif 000006
【図５】
2007310723.tif 000007
【図６】
2007310723.tif 000008
【図７】
2007310723.tif 000009